Podtech/llm-jp-corpus-v4-ja_patent huggingface dataset:
(57)【要約】      （修正有）【課題】使用するごとに剥離するだけで、常に衛生的で作業可能なまないたを得ることができる。軽くて携帯性及び収納性に富み、安価で作製することができる。洗浄や除菌、乾燥に費やす時間を省けるブック型使い捨てまないたを提供する。【解決手段】Ｂ４，Ｂ５等の大きさと２ｍｍ程度の厚さの紙に硬さをもたせ食品や人体に対する安全な防水加工と抗菌性、耐油性等を施し焼却物として作製、シート状にして２０枚程度を積層にして四辺の短い一辺をノリずけし一冊の本のようにして開いて使用する。使用後その一枚を剥離することで新たな面を得ることにより新しいまないたとして使用できる。【選択図】図１
0003143773.tif 000002
【実用新案登録請求の範囲】
【請求項１】
２ｍｍ程度の厚紙に硬さをもたせ人体に害のない抗菌性、防水性、耐油性をコーティングしたものを積層にし一冊の本のようにして一枚使用した後、又一枚めくることで新しい衛生的な状態のまないたとして使用できることを特徴とした紙製のブック型使い捨てまないた。
【請求項２】
請求項１記載の厚紙の形状をしたＢ５版又はＢ４版大の紙製のブック型使い捨てまないた。
【請求項３】
厚紙の短い方の一辺をノリ付けし剥離しやすいようにした請求項１，又は２に記載の紙製のブック型使い捨てまないた。
【請求項４】
古紙を素材として厚紙を作製した請求項１又は２，又は３のいずれかに記載の紙製のブック型使い捨てまないた。
【請求項５】
表紙の内側の面、裏表紙の内側の面にもコーティングを施し最後まで使用出来る請求項１，又は２，請求項３，又は４に記載した紙製のブック型使い捨てまないた。
【考案の詳細な説明】
【技術分野】
【０００１】  本考案は使用したごとにめくる事で臭い、汚れその他の調理中にできる生ゴミ等の処理ができ常に清潔で衛生的な面を使用できる紙製のブック型使い捨てまないたに関するものである。
【背景技術】
【０００２】  従来のまないたは一度使用した毎に洗浄、乾燥させないと細菌の原因でもあるカビの発生と繁殖をきたし腐敗臭を伴い、又洗浄後でも刃痕に黒く色づき付着し消毒や除菌に時間がかかったりと衛生的な面で問題があり、日常頻繁に使用するものとしては重さもあり手間と時間を要し不便だった。
【特許文献１】  実用新案登録番号  第３０３６０７２号
【考案の開示】
【考案が解決しようとする課題】
【０００３】  従来のまないたは洗浄、乾燥、除菌、消毒に時間がかかり黒いシミ等が残り不潔感があり気持良く使用できなかった。又重さがありキャンプ等の野外活動の持ち運びには不向きだった。
【課題を解決するための手段】
【０００４】  本考案は一度使用したらすぐめくり処理することが出来、常に新しく清潔で乾燥した面を得ることで安心して使用出来従来のまないたの不衛生な点を解決できる。
プラスチック製のまないたより安価な紙製で作製することにより軽さが得られる。
【考案の効果】
【０００５】  前述のように従来のまないたに対する不衛生な状態で使用することがなくなり常に清潔な面で調理することができる。又剥離したものは焼却物として出すことができキャンプ地などではすぐ燃やせるという利便性がある。安価で軽量であり手軽に持ち運びが出来る。
【考案を実施するための最良の形態】
【０００６】  本考案は図１、図２に示すようにＢ４，Ｂ５等の大きさで厚さ２ｍｍ程度とし少し硬さを持たせたシート状のものに食品や人体に悪影響を及ぼさない安全な防水加工と抗菌性、耐油性のものをコーティングし２０枚程度を積層４にする。【０００７】  図１の背表紙３の部分をノリ付けし剥離しやすいようにし処理する事で衛生的な新しい紙製のブック型使い捨てまないたを得ることが出来る。【０００８】  使用後は剥離することで燃えるゴミとして出すことが出来又キャンプ地等ではすぐ燃やすことが可能である。【０００９】  図１の表紙１，裏表紙２の内側にもコーティングする事で最後まで紙製のブック型まないたとして使用することが出来る。【００１０】  図３は剥離した面だけで使用することも可能で、又ある程度の湾曲を得ることが出来、具材を落ちこぼすことなく移動させることが出来ることを示している。【００１１】  本考案に用いる素材としては古紙等のリサイクル素材を活用することも出来、資源の再利用としても有効である。【００１２】  使用後剥離し燃えるゴミに出したり焼却することで洗浄するという手間がなくなる。
【産業上の利用可能性】
【００１３】  古紙等を原料として製作でき構造が簡単な紙製のブック型まないたとして利用できる。
【図面の簡単な説明】
【００１４】
【図１】本考案に係るブック型使い捨てまないたの側面図
【図２】本考案に係るブック型使い捨てまないたの真上からみた図
【図３】本考案に係るブック型使い捨てまないたの一面を剥離し折り曲げた図
【符号の説明】
【００１５】  １  表紙
２  裏表紙
３  背表紙
四  厚紙の積層
【図１】
0003143773.tif 000003
【図２】
0003143773.tif 000004
【図３】
0003143773.tif 000005
(57)【要約】      （修正有）【課題】食事や栄養管理と同時に、手軽に費用も掛けず、時間的な制約も受けないで、毎日自宅で運動出来る握り手付きの浴槽を提供する。【解決手段】浴槽の内部での運動を目的に浴槽に取り付けられた握り手を使い、この握り手を手で握ったり、足に引っかけたりして体を前後に動かすことで、手足や腹筋などの運動が自在に浴槽の中で出来る。浴槽の中は温かいお湯の中であるので血流が良くなり筋肉や関節を痛めることがなく、また適度な水の負荷や浮力が加わり、サラリーマンから主婦、高齢者でも無理なく運動が出来、毎日入るお風呂の中での運動であるので、一過性でなく長期間に渡って続けることができる。【選択図】図１
0003143771.tif 000002
【実用新案登録請求の範囲】
【請求項１】
浴槽の中で各種運動が出来るように、浴槽の長手方向、つまり浴槽に入った際の足先側に、両手や両足を支える事が出来る握り手がついた浴槽。
【考案の詳細な説明】
【技術分野】
【０００１】本考案は、浴槽の中で簡単な各種運動が出来るように、体を支えることが可能な握り手付きの浴槽に関する。
【背景技術】
【０００２】中高年を筆頭に、若年層まで運動不足、栄養の偏り等からおきる成人病は、いまや大きな社会問題となっている。厚生労働省もメタボ対策に本格的に乗り出しているが、解決方法として言われているのが、毎日の定期的な運動と食事や栄養対策である。しかし、現実に毎日の運動となると、時間と場所の制約があり多くの人々は運動が出来ないのが実態である。意識のある人は定期的にジムに通い、ダンスやヨガ教室などで汗を流すことを試みてはいるが、これとて時間の確保と月々の経費を考え途中で断念する人が大多数である。これらの社会的要請を背景に、自宅で無理をすることなく、経費を掛けず、継続性のある運動が出来れば理想的である。
【考案の開示】
【考案が解決しようとする課題】
【０００３】社会的な大問題である成人の運動不足を、簡単な器具を用い自宅の浴槽で簡単にでき、日頃の運動不足を解決させるのが本考案である。現在市場には各種運動器具が販売されているものの、多くは体のある一部分的な個所の運動だけであり、例えば手、足、腹筋、首など全身のあらゆる箇所を一つの器具で鍛えることのできる器具はない。簡単な一つの器具で、ある程度全身の筋肉を鍛えることが出来れば理想である。また、時間や経費の点から見てサラリーマンから家庭の主婦層までもが、無理なく運動を続けることが出来ることが最大の課題である。
【課題を解決するための手段】
【０００４】日本人が毎日必ず利用するお風呂、浴槽の中を運動の場として考え、浴槽の中に取り付けられた握り手を使い、プログラムに沿った運動をすることにより日頃の運動不足を解消させるのが本考案である。お風呂は毎日入る場であるので必ず習慣性が出てきて無理なく継続性のある運動になる。本考案は、浴槽に入った際、足先側にある握り手を使い、握って手や腕、肩の筋肉のエクササイズ、足を引っかけて腹筋や足の筋肉のエクササイズなどが可能である。
【考案の効果】
【０００５】この種の運動で一番大事な要素は、毎日継続して出来るかである。巷には短期間でのダイエットやエクササイズをうたった器具が多く市販されているが、なかなか時間の取れないサラリーマンや主婦層などが、体に負担をかけず毎日継続する事は不可能に近い。本考案は毎日入るお風呂の中で出来るので、普段時間の取れないサラリーマンや主婦層であってもゆっくりお風呂に浸かりながら運動ができ極めて継続性が高い。またお湯につかりながらの運動であるので、適度なお湯の温度で筋肉や関節がほぐれた状態になるので体への負荷は低い。また水の抵抗と浮力を逆に利用することで、負荷の掛け方をコントロールできるメリットを持っているので、その時の体調により運動をコントロールすることが容易である。握り手を持っての手や肩の筋肉のエクササイズ、握り手に足を引っかけての足の筋肉、腹筋のエクササイズなど、体のあらゆる部位の運動が一つの簡単な器具で出来るのが本考案の最大の特徴である。また足裏を器具に押し付けることで足裏マッサージも可能であるので疲労回復にも役立つ。
【考案を実施するための最良の形態】
【実施例】
【０００６】以下添付図面に従って実施例を説明する。図面１は浴槽の壁に付いている握り手の部分のイメージ図で、図面２は、実際に手で握ったイメージ図、図３は同じく足先を引っかけて足や腹筋の運動を行った時のイメージ図、図４は実際の運動の一例のイメージ図である。運動としては握り手をしっかり握り、手の力だけで体を引き寄せ、次に引き離す、これを繰り返すことで手や肩の筋肉のエクササイズを行える。また握り手に足先を引っかけ、足の力だけで、また腹筋などを行うことにより足や腹筋のエクササイズが行える。その他スクワットや首の運動などを取り入れることで体のあらゆる部位の運動が可能になる。
【図面の簡単な説明】
【０００７】
【図１】握り手の部分のイメージ図
【図２】浴槽内、手で握ったイメージ図
【図３】浴槽内、足先を引っかけたイメージ図
【図４】実際の運動の一例のイメージ図  ４−１  腕の筋力  ４−２  足の筋力  ４−３  腹筋  の各種エクササイズ例
【符号の説明】
【０００８】１．握り手
２．浴槽
【図１】
0003143771.tif 000003
【図２】
0003143771.tif 000004
【図３】
0003143771.tif 000005
【図４】
0003143771.tif 000006
(57)【要約】      （修正有）【課題】従来介護者等が手作業で行っていた身体の不自由な寝たきりの人の大小便を機械的に全自動で処理する水洗式大小便洗浄器を提供する。【解決手段】寝たまま放尿した便を９の温水シャワーを使用して温水で流し排便を１の受け皿吸引口に流れ１のパイプを通り２の吸引ホースの吸引力により４の排尿貯蔵室に溜まり１１の排便管を通り温水ポンプにより外部に排出する。９の温水シャワーは１３の保護用カバーの上部に取り付けて１４の人体にかけ排出物を洗い流すものである。温水は５の貯水タンクより温水ポンプにて９に送水する。８は９の温水シャワーに送水するホースである。６は水を温める投込温水ヒーターである。ヒーターには温度調整のセンサーが付いている。１０は温風を送るドライヤーで水分を取り除く役目である。１２は電源コード、スイッチで各部所の司令塔である。【選択図】図１
0003143772.tif 000002
【実用新案登録請求の範囲】
【請求項１】
寝たきりの人の大小便を水洗式に処理する器具において
（イ）大小便を水洗する洗浄部は取り外し可能であり当該部には９の温水シャワー、１０の温風を送るドライヤーが内蔵されていて温水は温度調整のセンサーが付いた６の温水ヒーターにより制御されている。
（ロ）洗浄部下端には１の受け皿を設け、１の受け皿はパイプにより４の排尿貯蔵室につながっている。
（ハ）４の排尿貯蔵室には３の吸引機が２の吸引ホースによりつながり他方には１１の排便管が接続されていて排尿貯蔵室に溜まった排便を外部に排出する構造になっている。
（ニ）洗浄部上端には１２のコントロールスイッチが設けてある。
以上の構成よりなる水洗式大小便洗浄器
【考案の詳細な説明】
【技術分野】
【０００１】本考案は身体の不自由な寝たきりの人の大小便を水洗式にて洗浄し外部に排出する器具である。
【背景技術】
【０００２】寝たきりの人の排便処理は非常に難しく従来は介護者等が手作業で行うのが主流であり機械的に全自動で処理する機械は存在しなかったので本考案は当該課題を解決するものである。
【考案の開示】
【考案が解決しようとする課題】
【０００３】従来の技術を検討しいろいろ試行錯誤の結果水洗式にして水の流れを利用して貯蔵タンクに溜め揚水ポンプにて外部に排出することにした。
水洗シャワーとすることで便の流れを助け洗浄しやすく清潔を保ち温水を使用することにより冷たさを避け気分良く使用することができる。
【課題を解決するための手段】
【０００４】水洗式のため水揚ポンプが主力のため水揚ポンプの役目とシャワーの能力と便の吸引力の役目水洗後の保温乾燥、便の排出能力と多分なため各部の電源の操作を良くしコントロールスイッチにて各役目をはたすようにする。
【考案の効果】
【０００５】本考案により多くの患者その他の人の利用が多くなり看護人の負担も労力上も楽になる。
【考案を実施するための最良の形態】
【０００６】以下考案の操作について説明する。
考案の操作についてはまず水揚ポンプの点検、シャワーの水の点検、排便の吸引能力、吸引機作動状態、水温排便の確認、給水能力の点検、水漏れ便の吸引能力、シャワーの止水、温水の温度調節、排便の自動化、排便の臭い防止を考えて作業開始する。水揚ポンプを使用するのでスイッチ操作に注意して操作する。
【実施例】  本考案の各部の働き作用及び構造は次の通りである。
《処理の流れ》
寝たまま放尿した便を９の温水シャワーを使用して温水で流し排便を１の受け皿吸引口に流れ１のパイプを通り２の吸引ホースの吸引力により４の排尿貯蔵室に溜まり１１の排便管を通り揚水ポンプにより外部に排出する。
《構造及び働き》
９の温水シャワーは１３の保護用カバーの上部に取り付けて１４の人体にかけ排出物を洗い流すものである。温水は５の貯水タンクより揚水ポンプにて９に送水する。８は９の温水シャワーに送水するホースである。
６は水を温める投込温水ヒーターである。ヒーターには温度調整のセンサーが付いている。１０は温風を送るドライヤーで水分を取り除く役目である。１２は電源コード、スイッチで各部所の司令塔である。
１３は放水シャワーの取り付け個所、温風ドライヤーの取り付け個所、水のはじき防止の役目であり取り外し式である。１４は人体、１５は各所のモーターを表す。１６はドライヤー位置であり人体の乾燥のため使用する。
【図面の簡単な説明】
【０００７】
【図１】全体側面図
【図２】各部機器配置図
【符号の説明】
【０００８】１，  排便皿
２，  排便吸引器付きホース
３，  吸引機
４，  排便吸引貯蔵タンク
５，  給水温水器タンク
６，  投込湯沸かし器ヒーター付き
７，  水道パイプ
８，  温水ホース
９，  洗浄シャワー
１０，  乾燥用温風ドライヤー
１１，  排尿管外部
１２，  各所機能電源スイッチコード
１３，  水滴防止保護カバー
１４，  人体
１５，  電動モーター
１６，  温風ドライヤー
【図１】
0003143772.tif 000003
【図２】
0003143772.tif 000004
(57)【要約】      （修正有）【課題】小型で安価な吸引機を提供する。【解決手段】吸引機本体１の上部の掃除機接続部１ｂに掃除機のホース６を接続し、掃除機の吸引力を吸引力調整部２で加減しながら利用し、吸引口３ａから吸引した物体を排出口１ｄから排出し、排出された物体を収納する容器を清涼飲料水の合成樹脂容器５を使用する事で小型化する事ができ、更に部品を少なくする事により安価になった。【選択図】図４
0003143774.tif 000002
【実用新案登録請求の範囲】
【請求項１】
吸引機本体にメネジのねじ山を有し清涼飲料水の合成樹脂容器の注ぎ口に接続し、掃除機の吸引力を吸引力調整部で調整しながら使用する小型吸引機
【考案の詳細な説明】
【技術分野】
【０００１】  本考案は、清涼飲料水の合成樹脂容器に接続可能で、家庭用掃除機の吸引力を利用した小型吸引機に関するものである
【背景技術】
【０００２】  従来、手動式や大型の電動式があった。
【考案の開示】
【考案が解決しようとする課題】
【０００３】電動式は高価であり大型の物が多く、手動式は吸引力が弱い上、扱い辛い。
また、構造が複雑な為、部品の破損や欠損等により使用出来なくなる欠点があった。
本考案はこれらの欠点を除く為になされたものである。
【課題を解決するための手段】
【０００４】  家庭用掃除機の吸引力を利用する事により安価で且つ小型になり、吸引した物体を収納する部分を清涼飲料水の合成樹脂容器を使用する事で、更に小型化出来た。
【考案の効果】
【０００５】  構造が非常に簡潔で部品数も少ない為、部品の欠損や破損による故障が少なく、また安価であり、小型の為収納に便利で、更に本体中央部の吸引力調整部で吸引力を調整が可能である。
【考案を実施するための最良の形態】
【０００６】  本体下部の合成樹脂接続部を清涼飲料水の合成樹脂容器の注ぎ口に回転させながら接続し、本体上部に掃除機のホースを接続後、掃除機の電源をいれる。吸引機本体の中央部の吸引力調整部で吸引力を加減しながら、吸引を行う。
【実施例】
【０００７】  以下、添付図面に従って一実施例を説明する。１は耐久性のある合成樹脂等の適宜素材で形成された吸引機本体、１ａは清涼飲料の合成樹脂容器５の注ぎ口に接続する為に内側にめねじのねじ山１ｅがある合成樹脂容器接続部で、回転させて接続する。１ｂは掃除機のホース６に、はめ込む掃除機接続部である。接続部１ａを清涼飲料水の合成樹脂容器に接続し、接続部１ｂを掃除機ホース６に接続し掃除機７の電源を入れた後、吸引力調整部２を回転させ、吸引機本体１の中央部にある吸引力調整穴１ｃと吸引力調整部２の吸引力調整穴２ａで隙間の大きさを加減して吸引力を調整し、吸引口３ａから吸引する。吸引ホース３は吸引ホース接続部４で吸引機本体１に接続されており、吸引された物体は吸引ホース３内部を通り、排出口１ｄから排出され合成樹脂容器５の内部に収納される。
【図面の簡単な説明】
【０００８】
【図１】本考案の小型吸引機の斜視図である。
【図２】吸引機本体の断面図である。
【図３】吸引機本体と吸引機本体から離脱させた吸引力調整部の斜視図である。
【図４】本考案の小型吸引機の一実施例を示す斜視図である
【符号の説明】
【０００９】  １    吸引機本体
１ａ  合成樹脂容器接続部
１ｂ  掃除機接続部
１ｃ  吸引力調整穴
１ｄ  排出口
１ｅ  メネジのねじ山
２    吸引力調整部
２ａ  吸引力調整穴
３    吸引ホース
３ａ  吸引口
４    吸引ホース接続部
５    合成樹脂容器
６    掃除機ホース
７    掃除機本体
【図１】
0003143774.tif 000003
【図２】
0003143774.tif 000004
【図３】
0003143774.tif 000005
【図４】
0003143774.tif 000006
(57)【要約】      （修正有）【課題】軽量にし、持ち運びを簡単にした携帯用洗濯物干しを提供する。【解決手段】本体に二本のゴム紐１、２を使用することで、折り曲げが可能となり、重量も軽くなるので持ち運びが簡単に行える。また、本体の両端にはＳ字状のフック４を有し、手摺や椅子の脚などがあれば使用することが可能である。本体の一方を手摺やテーブルなどの足にＳ字フックを使い固定し、本体を引っ張り、もう一方を同じく固定する。この状態で二本のゴム紐の間を広げ洗濯物を差込み干す。よりあわせたゴムの収縮力により洗濯物は落ちずに干せる。【選択図】図１
0003143780.tif 000002
【実用新案登録請求の範囲】
【請求項１】
二本のゴム製紐を縄状によりあわせ、その両端にＳ字型のフックを有し、家庭や旅行先でも場所を選ばず手軽に使用できる携帯用洗濯物干し。
【考案の詳細な説明】
【技術分野】
【０００１】洗濯物干し
【背景技術】
【０００２】従来の洗濯物干しにはアルミやステンレスなどの金属製で約２ｍ〜４ｍに伸縮可能な伸縮式竿状洗濯物干しがあるが、使用にはこれを掛けておくための物干し台などが必要である。
【考案の開示】
【考案が解決しようとする課題】
【０００３】竿状では曲げられず持ち運びが不便であるため、本考案により旅行先などで手軽に洗濯物を干すことが可能となる。
【課題を解決するための手段】
【０００４】本考案は、二本のゴム製紐を縄状によりあわせ、両端にＳ字フックを有している。
Ｓ字フックとゴム紐の接合方法は、Ｓ字フックの片方にゴム紐を掛け金属性の〆具により固定する。
【考案の効果】
【０００５】本考案は本体に二本のゴム紐を使用することで、折り曲げが可能となり、重量も軽くなるので持ち運びが簡単に行える。また、本体の両端にはＳ字状のフックを有し、手摺や椅子の脚などがあれば使用することが可能である。
【考案を実施するための最良の形態】
【０００６】本体の一方を手摺やテーブルなどの足にＳ字フックを使い固定し、本体を引っ張り、もう一方を同じく固定する。この状態で二本のゴム紐の間を広げ洗濯物を差込み干す。よりあわせたゴムの収縮力により洗濯物は落ちずに干せる。
【図面の簡単な説明】
【０００７】
【図１】本考案の正面図
【図２】本考案の使用状態を表す図
【図３】図２の状態で二本のゴム紐を開き間に洗濯物を挟みこみ干す。
【符号の説明】
【０００８】▲１▼  ゴム紐
▲２▼    〃
▲３▼  金属製〆具
▲４▼  Ｓ字フック
▲５▼  机の脚
▲６▼  手摺
▲７▼  洗濯物
【図１】
0003143780.tif 000003
【図２】
0003143780.tif 000004
【図３】
0003143780.tif 000005
(57)【要約】      （修正有）【課題】携帯電話用カメラやデジタルカメラなどのレンズ直前に、超高倍率化を可能にする小型レンズ系を簡易取付け、着脱を可能にする。【解決手段】超高倍率化用レンズ２とそのレンズホルダー１を電子カメラ本体内部のレンズユニット５と光軸を合わせ、電子カメラ本体４に嵌め込み合体することにより電子カメラの超高倍率化を実現する。【選択図】図１
0003143763.tif 000002
【実用新案登録請求の範囲】
【請求項１】
電子カメラのレンズ機構にあわせ、その光路都中心部が合うように嵌め込み方式で電子カメラに取り付けた超高倍率化用レンズの電子カメラ取付け装置。
【請求項２】
請求項１において、超高倍率化用レンズ用レンズの側面及び、嵌め込み用レンズホルダーの外周にネジを儲け互いにネジ回転で嵌め込みが可能な、超高倍率化用レンズの電子カメラ取付け装置。  
【請求項３】
超高倍率化用レンズホルダーと一体化したカセットを、電子カメラの形状に合わせて作成し、レンズホルダーの電子カメラ本体への嵌め込み取付け着脱を容易にする超高倍率化用レンズの電子カメラ取付け装置。
【考案の詳細な説明】
【技術分野】
【０００１】
本考案はデジタルカメラ、携帯電話用撮影カメラを含めた電子カメラにおいて、通常の組み込みレンズに加え、超高倍率撮影が可能であるように新たに付加レンズを取付けるためのものである。
【背景技術】
【０００２】
従来の高倍率拡張撮影用のレンズをレンズヘッド部分に装着するためには、装着を簡易化するためマグネットなどにより着脱する治具が考えられていた。叉、
通常の倍率よりも僅かに倍率を上げる方式の技術でしかなく、大型の球面レンズを用いた拡大用レンズ系を、通常の光学カメラ全体にカセット式にはめ込む方法が取られていた。
【考案の開示】
【考案が解決しようとする課題】
【０００３】
マグネットなどによるレンズ部品の着脱方法は、一見、容易な方法な用に考えられる。しかし、実際の取付けに際し、マグネットの磁場が電子部品に影響を及ぼし、画像が乱れることもある。叉、従来では技術的な問題から口径の大きな拡大用レンズを使用する場合が多く、これをカセット式でカメラに嵌め込む際に必然的に形状も大きな取付け装置を要し、レンズの中心を合わせるのも難しかった。
【課題を解決するための手段】
【０００４】
本考案では、電子カメラに高々１〜２枚構成のレンズをからなる非球面を含む光学系を工夫することにより、拡大用レンズ取り付け装置の小型軽量化を計った。本考案は極めて取付け方法が容易で、有機的な超高倍率化撮影を可能にする手段である。
【考案の効果】
【０００５】
この様に小型軽量化されたレンズ系は、電子カメラ本体に着脱することが極めて容易であり、面倒なレンズの取付け操作、調整なしに、電子カメラ本体のズーム撮影機構と併せて、任意の可変倍率で超高倍率撮影が可能となる。
【考案を実施するための最良の形態】
【０００６】
電子カメラに取り付ける際には、取付けレンズを本体カメラ側に嵌め込む方式により、電子カメラと合体した光学系の超高倍率化を可能にする。このレンズを外したときには、当然、無限遠まで撮影可能な本来の電子カメラの撮影機能に戻すことができる。従来と異なった高性能非球面レンズにより、嵌め込みレンズの小型化が可能であり、容易にカメラ本体にカセット式にはめ込み着脱することも可能となる。
【実施例】
【０００７】
実施例について図面を参照して説明する。図１は本考案における、超高倍率撮影用のレンズ取付け機構を示し、１は電子カメラ本体への嵌め込み用のレンズホルダーで、２は単レンズ、叉は複数枚の構成からなる非球面を含む超高倍率化用レンズである。図で嵌め込み機構はネジ止め機構を有し３ａはレンズ側面に設けたネジであり３ｂは電子カメラ本体に設けたネジであり、これにより取付けレンズと電子カメラ本体レンズとの光軸を合わせて嵌め込むことが可能になる。
【０００８】
図２は、レンズホルダー１を一体化した電子カメラ嵌め込みカセット６を、携帯電話用の電子カメラ本体４に嵌め込むことによって超高倍率撮影が実現される。当然のことながら、カセットのレンズホルダー部分は図１と同様なレンズ光学系からなるものである。この製作は、種々の電子カメラの形状にマッチするようにカセットの形状を設計し、成形金型により量産を行う方式に適していると考える。
【０００９】
この様にカメラ本体に取り付けられたレンズホルダーにより、ホルダー内レンズの性能とカメラ本体部の拡大ズーム機能と併せて、超高倍率拡大撮影を可能にする。市販のデジタルカメラの例では、１７インチモニター換算で最大倍率８００倍以上に達し、細胞観察がなど可能になる。従って生物、生体の観察分野で顕微鏡を用いない、全く新しい画期的拡大観察が可能になる。叉、解像度チャートを用いると４ミクロン以下の解像度が確認でき、Ｃ−ＭＯＳセンサーのドットピッチまで認識可能である。
【図面の簡単な説明】
【００１０】
【図１】携帯電話用カメラに嵌め込むレンズホルダー
【図２】携帯電話用カメラに嵌め込むレンズカセット
【符号の説明】
【００１１】
1    レンズホルダー    
2    超高倍率化用レンズ
3ａ  レンズホルダー側面のネジ
3ｂ  電子カメラ本体部のネジ
4    電子カメラ本体
5    電子カメラ本体内部のレンズユニット
6    電子カメラ嵌め込みカセット
【図１】
0003143763.tif 000003
【図２】
0003143763.tif 000004
【手続補正書】
【提出日】平成20年6月2日(2008.6.2)
【手続補正１】
【補正対象書類名】実用新案登録請求の範囲
【補正対象項目名】全文
【補正方法】変更
【補正の内容】
【実用新案登録請求の範囲】
【請求項１】
超高倍率化用レンズ用レンズの側面及び、嵌め込み用レンズホルダーの外周にネジを
儲け互いにネジ回転で嵌め込みが可能な、超高倍率化用レンズの電子カメラ取付け装置。
【請求項２】
超高倍率化用レンズホルダーと一体化したカセットを、電子カメラの形状に合わせて
作成し、レンズホルダーの電子カメラ本体への嵌め込み取付け着脱を容易にする超高倍率
化用レンズの電子カメラ取付け装置。
(57)【要約】      （修正有）【課題】棺本体及び上蓋の中板が着脱自在に出来る棺を提供する。【解決手段】棺本体２及び、上蓋をくり抜き、そのくり抜いた型に合わせ作ったはめ込み中板４、上蓋のはめ込み中板４を着脱自在にはめ込んだ事によって製造工程上の時間と労力を低減し、顧客からの多様な注文を迅速に対応出来る。【選択図】図２
0003143764.tif 000002
【実用新案登録請求の範囲】
【請求項１】
棺本体の２及び、上蓋１をくり抜き、そのくり抜いた型に合わせ作った、はめ込み中板４、上蓋のはめ込み中板４を着脱自在に、はめ込んだ棺。
【考案の詳細な説明】
【技術分野】
【０００１】  本考案は棺本体及び、上蓋の一部をくり抜き、そのくり抜いた型に合わせ作った中板を着脱自在にはめ込んだ棺に関する考案である。
【背景技術】
【０００２】  葬儀での棺は遺族側が好みのデザインを選ぶことが出来なかった。
【考案の開示】
【考案が解決しようとする課題】
【０００３】  従来、棺の本体に描かれ、或いは、彫られたデザインを一体毎に違えようとする時にこれまでは、棺本体にデザインを施す為、製造工程上、時間、労力、コストの面に於いて無駄が生じ、多様な個別注文に迅速に対応出来なかった。
【課題を解決するための手段】
【０００４】  本考案では、本体のデザイン部分を予め繰り抜いた中板に別工程でデザインを施し、その後、着脱自在用に取り付けた止め具ではめ込む方法を取り入れた。
【考案の効果】
【０００５】  この方法を採ると棺本体は完成品として流れ作業で製造しつつもその製造ペースに影響されずに個別デザインの注文に対応出来るようになる為、作業時間を短縮し、上記課題を克服出来る事になった。また、デザイン板の着脱交換が自在な為、棺本体は一体でも様々なデザイン板を取替える事が可能なので棺の保管スペースを最小限に押える事が出来た。
【考案を実施するための最良の形態】
【０００６】  棺本体の２及び、上蓋１をくり抜き、そのくり抜いた型に合わせ作ったはめ込み中板４、上蓋のはめ込み中板４を着脱自在にはめ込んだ事によって製造工程上の時間と労力を低減し、顧客からの多様な注文を迅速に対応出来る。
【実施例】
【０００７】  棺を製作するに当たり、本体上蓋１、本体２、上蓋覗き窓３、本体側面はめ込み板４、上蓋及び、覗き窓はめ込み板４、分野別で製作作業がスムーズに流れ、時間、労費、コストの面などを容易する為、
【図面の簡単な説明】
【０００８】
【図１】  本考案の上蓋立体図
【図２】  本考案の本体立体図
【図３】  本考案の上蓋平面図
【０００９】符号
１、棺上蓋
２、棺本体
３、上蓋覗き窓
４、はめ込み中板
【図１】
0003143764.tif 000003
【図２】
0003143764.tif 000004
【図３】
0003143764.tif 000005
(57)【要約】      （修正有）【課題】軽くて、耐久性に優れ、かつ、連結構造が安定して見栄えも良い実用性に優れる分割箸を提供する。【解決手段】手による把持部２と食品の挟持部３とに分割可能な分割箸において、把持部２と挟持部３とが金属管体よりなり、把持部２の下端開口内に金属製の雄ネジ部材５が嵌合装着されるとともに、挟持部３の上端開口内に金属製の雌ネジ部材６が嵌合装着され、雄ネジ部材５のネジ部７にシリコン樹脂製のリングワッシャ１０が外嵌装着され、ネジ部７が雌ネジ部材６のネジ穴１１に螺合されることで、リングワッシャ１０が下端と上端との開口の縁部１２、１３それぞれに、さらに、雄ネジ部材５と雌ネジ部材６の端面１５、１６それぞれに弾力的に挟まれる状態において、把持部２と挟持部３とが連結されて一体とされることを特徴とする分割箸。【選択図】図３
0003143762.tif 000002
【実用新案登録請求の範囲】
【請求項１】
手による把持部と食品の挟持部とに分割可能な分割箸において、
前記把持部と前記挟持部とが金属管体よりなり、
前記把持部の下端開口内に金属製の雄ネジ部材が嵌合装着されるとともに、前記挟持部の上端開口内に金属製の雌ネジ部材が嵌合装着され、
前記雄ネジ部材のネジ部にシリコン樹脂製のリングワッシャが外嵌装着され、
前記ネジ部が前記雌ネジ部材のネジ穴に螺合されることで、前記リングワッシャが前記下端と上端との開口の縁部それぞれに、さらに、前記雄ネジ部材と前記雌ネジ部材の端面それぞれに弾力的に挟まれる状態において、前記把持部と前記挟持部とが連結されて一体とされることを特徴とする分割箸。
【考案の詳細な説明】
【技術分野】
【０００１】  この考案は、携帯等に便利な分割箸の改良に関する。
【背景技術】
【０００２】  最近においては、上部の把持部と下部の食品の挟持部とに分割可能で、分割することにより短くなって携帯に便利な分割箸が広く使用されるようになっている。この種の分割箸としては、例えば、それぞれが金属製棒状である把持部と挟持部とをネジ連結する構成のものが提供されている。
【考案の開示】
【考案が解決しようとする課題】
【０００３】  上記従来品の場合、全体が金属製であるので耐久性には優れるが重量があって使いにくく、また、連結部において金属部分が直接付き合わされる構成となるので隙間ができたりして納まりが悪く、見栄えが悪いとともに連結構造が安定しないという問題があった。【０００４】  この考案では、軽くて、耐久性に優れ、かつ、連結構造が安定して見栄えも良い実用性に優れる分割箸を提供することを目的とする。
【課題を解決するための手段】
【０００５】  この考案では、手による把持部と食品の挟持部とに分割可能な分割箸において、前記把持部と前記挟持部とが金属管体よりなり、前記把持部の下端開口内に金属製の雄ネジ部材が嵌合装着されるとともに、前記挟持部の上端開口内に金属製の雌ネジ部材が嵌合装着され、前記雄ネジ部材のネジ部にシリコン樹脂製のリングワッシャが外嵌装着され、前記ネジ部が前記雌ネジ部材のネジ穴に螺合されることで、前記リングワッシャが前記下端と上端との開口の縁部それぞれに、さらに、前記雄ネジ部材と前記雌ネジ部材の端面それぞれに弾力的に挟まれる状態において、前記把持部と前記挟持部とが連結されて一体とされることを特徴とする分割箸を提供する。【０００６】  この考案の構成の分割箸は、全体が金属製であるので構造が強固で耐久性に優れ、かつ、把持部と挟持部とがともに管体であるので軽量である。くわえて、把持部と挟持部とが連結されて一体とされる際には、リングワッシャが把持部下端と挟持部上端との開口の縁部それぞれに、さらに、雄ネジ部材と雌ネジ部材の端面それぞれに弾力的に挟まれる状態となるので、把持部と挟持部との連結部に隙間が生じず、かつ、把持部と挟持部とはリングワッシャの弾力により強固、かつ、安定した状態に連結される。リングワッシャはシリコン樹脂製であることで耐熱性、耐水性に優れ、この部分において耐久性が大きく損なわれることはない。
【考案の効果】
【０００７】  この考案によれば、耐久性に優れるとともに軽量で使用しやすく、さらに、連結部の構造が安定しているとともに見栄えが良い、実用性に優れる分割箸が得られる。
【考案を実施するための最良の形態】
【０００８】  図１はこの考案の分割箸（一方のみを示す）の連結状態の外観斜視図、図２は同分割状態の斜視図、図３は連結状態の連結部の断面構成図である。【０００９】  分割箸１は、上部の手に持たれる把持部２と下部の食品を挟む挟持部３とからなり、それらはともにステンレス製の管体よりなる。把持部２の下端開口内にステンレス製の雄ネジ部材５がそのネジ部７を下方に突出するように嵌合装着されるとともに、挟持部３の上部開口内にステンレス製の雌ネジ部材６が嵌合装着されている。雄ネジ部材５、雌ネジ部材６それぞれの固定はともにカシメにより行われ、８、９がそのカシメ部である。【００１０】  １０はシリコン樹脂製のリングワッシャであり、雄ネジ部材５のネジ部７に外嵌装着されて設けられ、把持部２と挟持部３とが連結されて一体とされる際には、ネジ部７が雌ネジ部材６のネジ穴１１に螺合されることで把持部２の下端と挟持部３の上端との開口の縁部１２、１３それぞれに、さらに、雄ネジ部材５と雌ネジ部材６の端面１５、１６それぞれに弾力的に挟まれる状態に配置される。【００１１】  上記のように把持部２と挟持部３との連結部にシリコン樹脂製のリングワッシャ１０が配置されることで、把持部２と挟持部３との連結部に隙間が無くなり見栄えがよく、かつ、把持部２と挟持部３とはリングワッシャ１０の弾力により強固、かつ、安定した状態に連結される。
【図面の簡単な説明】
【００１２】
【図１】  この考案の分割箸の実施形態の連結状態の外観斜視図
【図２】  この考案の分割箸の実施形態の分割状態の外観斜視図
【図３】  この考案の分割箸の実施形態の連結状態の連結部の断面構成図
【符号の説明】
【００１３】１    分割箸
２    把持部
３    挟持部
５    雄ネジ部材
６    雌ネジ部材
７    ネジ部
１０  リングワッシャ
１１  ネジ穴
１２  把持部の下端開口の縁部
１３  挟持部の上端開口の縁部
１５  雄ネジ部材の端面
１６  雌ネジ部材の端面
【図１】
0003143762.tif 000003
【図２】
0003143762.tif 000004
【図３】
0003143762.tif 000005
(57)【要約】      （修正有）【課題】片手が自由に使えるように、杖と長傘が一体型になる杖付長傘を提供する。【解決手段】長傘２の軸の一部及び柄に、収納室３を設ける。収納室３に杖１の柄を除く部分を収納することにより一体型になる杖付長傘を特徴とする。高齢者が、杖と長傘を別々に両手に持つ場合は、両手がふさがり転倒の危険性が高いので精神的苦痛を伴い、杖と長傘を一体型にすることにより片手が使えて、安全な歩行が可能になる。【選択図】図１
0003143766.tif 000002
【実用新案登録請求の範囲】
【請求項１】
長傘（２）の軸及び柄に収納室（３）を設け、当該杖収納室（３）に杖（１）を収めた一体型を特徴とする杖付長傘。
【考案の詳細な説明】
【技術分野】
【０００１】  本考案は、長傘の軸及び柄の部分に収納室を設け、杖の一部を収納した杖付長傘に関するものである。
【背景技術】
【０００２】  従来、杖と長傘は別々になっていた。
【考案の開示】
【考案が解決しようとする課題】
【０００３】  高齢者が、杖と長傘を別々に両手に持つ場合は、両手がふさがり転倒の危険性が高いので精神的苦痛を伴う。従って、杖と長傘を一体型にすることにより片手が使えて、安全な歩行が可能になり、前述の欠点を解決しようとするものである。
【課題を解決するための手段】
【０００４】  長傘（２）の軸の一部及び柄に、杖（１）の柄を除く部分を収納室（３）に収納することにより一体型になる杖付長傘。
【考案の効果】
【０００５】  雨が降っていない時は、杖と長傘が一体型になっているので、片手が自由に使えて安全な歩行が可能になり、前述の欠点を解決しようとするものである。今後の日本の高齢化社会ということを考え合わせると非常に有用なものであると考える。
【考案を実施するための最良の形態】
【０００６】  以下、本考案を実施するための最良の形態について説明する。
長傘（２）の柄及び軸の一部に収納室（３）を設ける。
杖（１）の柄を除く部分を長傘（２）の収納室（３）に差込み、固定して一体型とする。
本考案は、以上のような構造である。
【図面の簡単な説明】
【０００７】
【図１】  本考案の断面図である。
【図２】  本考案の側面図である。
【図３】  本考案の側面図である。
【図４】  本考案の側面図である。
【符号の説明】
【０００８】１  杖
２  長傘
３  収納室
【図１】
0003143766.tif 000003
【図２】
0003143766.tif 000004
【図３】
0003143766.tif 000005
【図４】
0003143766.tif 000006
(57)【要約】      （修正有）【課題】紙数が多い場合、針綴じ器の針が曲がって綴じる事が出来ないという不備を解消した穿孔器を提供する。【解決手段】工具プライヤーの形体で、掴み部に針綴じ器の針幅と同じ幅に２本の穿孔の為の針を備えつけた事を特徴とする穿孔器である。先に紙に穴をあけておけば針綴じ器の針が曲がる事がなく綴じる事ができる。【選択図】図−２
0003143740.tif 000002
【実用新案登録請求の範囲】
【請求項１】
定規附き先孔器
【請求項２】
0003143740.tif 000003
こゝで先孔器の説明、文具の一つで針綴器（通称ホッチキス以後ホッチキスと称す）の針が紙厚の為曲がるのを防ぐ為先に穴をあけておく器具という意で考案の為仮りに名附く。
【考案の詳細な説明】
【技術分野】
【０００１】ホッチキスの綴針について考える。
【背景技術】
【０００２】ホッチキスの綴針が紙厚の為曲がらない様にするにはどうしたらいいか考えました。
【考案の開示】
【発明が解決しょうとする課題】
【０００３】紙数が多い時、綴針が曲がらない様にするには先に紙に穴をあけておいて次にホッチキスで綴じてはどうか、それを簡単にする方法はないか。
【課題を解決する為の手段】
【０００４】三角定規、物さしの一辺にホッチキスの針の巾と同じ２つの穴をあける、そこへ千枚通し等で定規の穴にそって突いて穴をあける鋏型の場合ホッチキスの針の巾と同じく針を２本取り付け（図−２参照）それで紙を挟んで穴をあける。以上、２つの方法を考案した。
【考案の効果】
【０００５】先に紙に穴をあけておけば、ホッチキスの針が曲がる事がなくなる、曲がった場合以前であれば処理が大変だが以後は処理がなくなる。
【考案を実施する為の最良の状態】
【０００６】透明性のある合成樹脂で作った三角定規及び物さしの一辺にホッチキスの針巾の穴を２つあける、その穴へ千枚通し等で突いて穴をあける。鋏型の場合は鋏を図−２の様に作る。これで穴をあける。以上２つの方法のいずれも利用すれば紙数が多くても簡単に綴じる事が出来る。
【図面の簡単な説明】
【０００７】
【図−１】平面図、穴拡大図
【図−２】側面図、正面図
【符号の説明】
【０００８】図−１  １  定規
２、治具穴
図−２  １、先孔器（仮称）
２、針
３、押え
４、バネ
（Ａ）投入位置
【図−１】
0003143740.tif 000004
【図−２】
0003143740.tif 000005
【手続補正書】
【提出日】平成20年2月13日(2008.2.13)
【手続補正１】
【補正対象書類名】実用新案登録請求の範囲
【補正対象項目名】全文
【補正方法】変更
【補正の内容】
【実用新案登録請求の範囲】
【請求項１】
ホッチキス針の折れ綴じを防ぐ為、あらかじめ穿孔を特徴とする鋏型穿孔器。
【手続補正書】
【提出日】平成20年5月8日(2008.5.8)
【手続補正１】
【補正対象書類名】実用新案登録請求の範囲
【補正対象項目名】全文
【補正方法】変更
【補正の内容】
【実用新案登録請求の範囲】
【請求項１】
工具プライヤー（ＰＬＩＥＲ）の形体で，掴み（ＰＬＩ）部に針綴じ器（通称ホッチキス）の針巾と同じ巾に２本の穿孔の為の針を植えつけた事を，特徴とする穿孔器。
(57)【要約】      （修正有）【課題】パターヘッド高さを高くして、打球方向の正確性を向上させる。【解決手段】目標方向の正確性を増すには、器具を目に近づけるか又は目を器具に近づける程良くなる。パターヘッド１の高さａをゴルフボールの直径程度以上規定値以内まで高くし、ヘッド上面３の中央部にフェースと直角に引かれた目標方向を示す白線６が目に近づくことによって目標方向の正確性を増す。また白線６が高くなることによって、前面にあるゴルフボールに遮られず目標ラインが読みやすくなる。よって目標方向の正確性を増すことができる。【選択図】図１
0003143711.tif 000002
【実用新案登録請求の範囲】
【請求項１】
ヘッドの高さをゴルフボールの直径程度以上規定値以内とし、ヘッド上面の中央部に目標方向を示す白線をフェースと直交する方向に設け、打球方向の正確性を増すことを特徴とするゴルフパターヘッド。
【考案の詳細な説明】
【技術分野】
【０００１】
本考案は打球方向の正確性を増すことのできるパターヘッドに関するものである。
【背景技術】
【０００２】
一般にゴルフのパッティングにおいて、ヘッドのフェースを目標方向に対して直角
に合わせているが、実際に直角に合わせるには、両眼が横向きのため縦向き（直角）
に合わせるのは困難である。そのためフェースを目標方向に向けやすくするために、フェースと直角にヘッド上面に白線を設けたもの（特開４９−１９８６０）や、ヘッド上面に２箇所の目印を付け目標方向にフェースを正確に向けるもの（特開２００４−２４３１７）、またヘッド上面に打球方向を示す２本の支持線を設けたもの（特開２００２−２３９０４５）等がある。
【考案の開示】
【考案が解決しようとする課題】
【０００３】
解決しようとする問題点は従来のパターヘッドが薄型（高さが低い）のため、ヘッ
ド上面にフェースと直角に引かれた目標方向を示す白線の高さが低く、目標点までの
目標ラインがボールに遮られ方向性が悪くなっている。そのためフェースを目標方向
に直角に合わせるのは困難で、正確性に乏しい点である。
【課題を解決するための手段】
【０００４】
目標方向を定めるには器具を目の位置に近づけるほど正確性を増す。よって本考案
はパターヘッドの高さをゴルフボールの直径程度以上規定値以内まで高くすることに
よって、ヘッド上面中央部の目標方向を示す白線が高くなり、白線が目に近づくため
に目標方向の正確性を増すことができることにより問題点を解決している。
ここで規定値を説明する。「パターヘッドのソールからトップまでの長さは２．５インチ（６３．５ミリメートル）以下でなければならない」。
【考案の効果】
【０００５】
本考案のパターヘッドはヘッド上面の白線で目標方向を定めるため、フェースは必然的に目標方向と直角となり、フェースを目標方向と直角に合わせる必要がないという利点がある。
【考案を実施するための最良の形態】
【０００６】
ヘッド上面中央部の白線の高さが高くなることにより、目標方向が前面にあるゴルフボールに遮られず、目標ラインが読みやすくなる。
【０００７】
ヘッド上面が高くなることにより、フェースの面積が大きくなりボールを打ちやすくなる。
【０００８】
ヘッド上面をフェースから背面まで同じ高さとすることにより、白線を長くすることができ方向性が良くなる。
【０００９】
底面の面積が広くなり、芝との摩擦が大きくなることによって、一端決めた方向が動きにくくなり、アドレスがやりやすくなる。
【実施例】
【００１０】
以下、本考案を実施するための形態を実施例となる図面を参考にして説明する。１は金属等適宜素材にて一体化されたパターヘッド本体。２は高い打球面を持つフェース。３はヘッド上面で、中央部に目標方向を示す白線６を有する。４は面積の広い安定した底面。５はヘッド背面。６は方向を示す白線。７はヘッドと一体化したシャフト。
【図面の簡単な説明】
【００１１】
【図１】パターヘッドの斜視図である。
【図２】パターヘッドの正面図である。
【図３】パターヘッドの平面図である。
【図４】パターヘッドの側面図である。
【符号の説明】
【００１２】
１    パターヘッド
２    フェース
３    ヘッド上面
４    ヘッド底面
５    ヘッド背面
６    白線
７    シャフト
ａ    ヘッドの高さ
【図１】
0003143711.tif 000003
【図２】
0003143711.tif 000004
【図３】
0003143711.tif 000005
【図４】
0003143711.tif 000006
(57)【要約】      （修正有）【課題】パソコンを使用・経由することなくマイコンの信号を電話回線で搬送することのできる発信専用電話通信モデムを提供する。【解決手段】電話モジュラージャックとマイコンの間に接続する箱状の電話通信モデムに、あらかじめ登録しておいた電話番号を発信する電話番号発信スイッチを取り付けたモデムである。このモデムの用途はマイコンのデータを電話回線経由でセンターコンピュータに送る目的で考案したもので、データの照合作業が必要の無いデータの搬送の場合は安価で非常に便利である。途中のデータが何らかの事情で紛失しても問題の起きない気象観測データや電力計、ガスメーター等のデータ搬送への利用は初期コストを大きく下げることが出来るようになる。【選択図】図２
0003143751.tif 000002
【実用新案登録請求の範囲】
【請求項１】
電話モジュラージャックとマイコンの間に接続する電話通信モデム（以下、モデム）において、あらかじめモデム内に登録してある固定の発信先電話番号に発信する機能と、通信信号を電話回路に搬送する機能と、通信を終了する機能を備えた発信専用モデム。
【考案の詳細な説明】
【考案の詳細な説明】
【技術分野】
【０００１】  電話モジュラージャックとマイコンの間に接続するモデムに関するものである。
【背景技術】
【０００２】  図１のごとく従来のパソコンモデム２はパソコン３と電話モジュラージャック１の間に設置され、パソコン３からの指示により電話番号に発信し、マイコン４のデータを搬送していた。
【問題が解決しようとする課題】
【０００３】  このため、マイコン４の簡単なデータを電話回線を通じて搬送する場合、必ずパソコン３とパソコンモデム２を経由する必要があり、高価な設備が必要であった。
【問題を解決するための手段】
【０００４】  本考案は電話モジュラージャックとマイコンの間に接続するモデムにおいて、あらかじめモデム内に登録してある固定の発信先電話番号に発信する機能と、通信信号を電話回路に搬送する機能と、通信を終了する機能を備えた発信専用モデムにより、上記課題を解決しようとするものである。
【考案を実施するための最良の形態】
【０００５】  本考案によるモデム５の形態について図３で説明すると、
電話モジュラージャック１に対応する接続端子Ａを設ける。
マイコン４からの信号を受ける為の通信端子Ｂを設ける。
集積回路に供給する電力を受ける電力端子Ｃを設ける。
電話回線を開閉するリレーＤを配置する。
通信信号を搬送する為のトランスＥを配置する。
始動用のテストスイッチＦを取り付ける。
これらを制御する集積回路Ｇを配置する。
これらを同一基板上に配置することで構成されている。
【実施例】
【０００６】  実施例として図２及び図３で説明すると、
まず、集積回路Ｇにあらかじめ発信先の固定電話番号を登録しておく。
電話モジュラージャック１に対応する接続端子Ａに電話線を接続する。
電源端子Ｃから電源を供給する。
通信端子Ｂ経由のマイコン４からの通信開始の信号、もしくはテストスイッチＦによる発信信号を受け、電話回線のリレーＤを閉回路にし、通話状態とする。
通話可能トーン確認後、登録済みの電話番号をトランスＥを経由して発信する。
回線接続後、マイコン４から通信端子Ｂを経由した信号をトランスＥを経由して搬送する。
データ搬送終了後、電話回線のリレーＤを開放し、通話を終了する。
これらのプログラム回路を集積回路Ｇに追加する。
こうして、本考案の発信専用モデム５を完成することができるようになる。
【考案の効果】
【０００７】  本考案による発信専用電話モデムにより、
図１のようにマイコン４からのデータ搬送にパソコンモデム２とパソコン３を介することなく、図２のごとく本考案のモデム５を電話モジュラージャック１に接続し、マイコン４に接続するだけでマイコンのデータを電話回線に搬送できるようになる。
このモデムの用途はマイコンのデータを電話回線経由でセンターコンピュータに送る目的で考案したもので、データの照合作業が必要の無いデータの搬送の場合は安価で非常に便利である。途中のデータが何らかの事情で紛失しても問題の起きない気象観測データや電力計、ガスメーター等のデータ搬送への利用は初期コストを大きく下げることが出来るようになる。
【図面の簡単な説明】
【図１】従来のパソコンモデムの接続図である。
【図２】本考案の発信専用モデムの接続図である。
【図３】本考案の発信専用モデムの構成図である。
【符号の説明】
１  電話モジュラージャック
２  パソコンモデム
３  パソコン
４  マイコン
５  本考案のモデム
Ａ  接続端子
Ｂ  通信端子
Ｃ  電力端子
Ｄ  リレー
Ｅ  トランス
Ｆ  テストスイッチ
Ｇ  集積回路
【図１】
0003143751.tif 000003
【図２】
0003143751.tif 000004
【図３】
0003143751.tif 000005
【手続補正書】
【提出日】平成20年5月8日(2008.5.8)
【手続補正１】
【補正対象書類名】実用新案登録請求の範囲
【補正対象項目名】全文
【補正方法】変更
【補正の内容】
【実用新案登録請求の範囲】
【請求項１】
電話モジュラージャックとマイコンの間に接続する箱状の電話通信モデムに、あらかじめ登録しておいた電話番号を発信する電話番号発信スイッチを取り付けた発信専用電話通信モデム。
【手続補正２】
【補正対象書類名】明細書
【補正対象項目名】０００４
【補正方法】変更
【補正の内容】
【０００４】  本本考案は電話モジュラージャックとマイコンの間に接続する箱状の電話通信モデムに、あらかじめ登録しておいた電話番号を発信する電話番号発信スイッチを取り付けた本考案のモデムにより、上記課題を解決しようとするものである。
【手続補正３】
【補正対象書類名】明細書
【補正対象項目名】０００５
【補正方法】変更
【補正の内容】
【０００５】  本考案のモデム５の形態について図３で説明すると、箱状のケースにあらかじめ登録しておいた電話番号を発信する電話番号発信スイッチＤを取り付けることにより、本考案の発信専用電話通信モデムが完成する。
【手続補正４】
【補正対象書類名】明細書
【補正対象項目名】０００６
【補正方法】変更
【補正の内容】
【０００６】  実施例としては電話通信モデムにあらかじめ登録しておいた電話番号を発信する電話番号発信スイッチＤを取り付ける。
電話番号発信スイッチをＯＮにするとあらかじめ登録しておいた電話番号を発信する。
従来のモデムの機能により
電話回線を接続し、通信回路を保持する。
通信信号を搬送する。
設定時間を経過した後電話回線を遮断する。
こうして、パソコン３を使わずにマイコン４のデータを搬送できる本考案のモデム５を完成することができるようになる。
0003143751.tif 000006
0003143751.tif 000007
0003143751.tif 000008